(57)【要約】【課題】原稿画像の読み取り時に要求される解像度または画質に適した読取モードに切り替えて、ユーザの操作の手間をかけることなく、表裏でバランスのとれた良好な画質を得ることができる画像読取装置を提供する。【解決手段】原稿Ｍの画像の読み取り時に要求される解像度または画質のうちの少なくともいずれかに基づいて、原稿搬送手段１００により搬送される原稿Ｍの両面の画像を、第１および第２の読み取り手段３１８、３２０により読み取る第１の読み取りモードと、前記第１または第２の読み取り手段のうちの一方のみを用いかつ原稿を反転経路１１０で反転させて読み取る第２の読み取りモードとを切り替えて、原稿の両面の画像の読み取りを行わせる。【選択図】  図６
2008148265.tif 000002
【特許請求の範囲】
【請求項１】
原稿を、給紙トレイから読み取り領域に搬送し、反転経路により反転させた状態で前記読み取り領域に再搬送したのち排出するように搬送可能な原稿搬送手段と、
前記読み取り領域に搬送された原稿の一方の面の画像を読み取る第１の読み取り手段と、
前記第１の読み取り手段に対して原稿搬送経路を挟んで配置され、読み取り領域に搬送された原稿の他方の面の画像を、前記第１の読み取り手段の読み取りと同時的に読み取ることが可能な第２の読み取り手段と、
前記原稿画像の読み取り時に要求される解像度または画質のうちの少なくともいずれかに基づいて、前記原稿搬送手段により搬送される原稿の両面の画像を、前記第１および第２の読み取り手段により読み取る第１の読み取りモードと、原稿の両面の画像を、前記第１または第２の読み取り手段のうちの一方のみを用いかつ前記反転経路で原稿を反転させて読み取る第２の読み取りモードとを切り替えて、原稿の両面の画像の読み取りを行わせる制御手段と、
を備えていることを特徴とする画像読取装置。
【請求項２】
前記原稿画像の読み取り時に要求される解像度または画質が、高解像度または高画質である場合には、前記制御手段は、第２の読み取りモードに切り替え、低解像度または低画質である場合には、第１の読み取りモードに切り替える請求項１に記載の画像読取装置。
【請求項３】
前記読取モードの切り替えを有効にするか無効にするかを設定可能である請求項１または２に記載の画像読取装置。
【請求項４】
原稿の厚さを検出する原稿厚さ検出手段を備え、
前記制御手段は、前記検出手段により検出された原稿の厚さと、前記解像度または画質のレベルとに基づいて第１の読み取りモードと第２の読み取りモードとを切り替える請求項１に記載の画像読取装置。
【発明の詳細な説明】
【技術分野】
【０００１】
この発明は、シートスルータイプの自動原稿送り装置を有し、複写機、ファクシミリ、ＭＦＰ（Multi Function Peripherals) などに適用されて、原稿の片面／両面の画像を読み取る取ることが可能な画像読取装置に関する。
【背景技術】
【０００２】
従来、この種の画像読取装置では、プラテンガラスが配置された読み取り領域に原稿を搬送し、該原稿の一方の面の画像を読み取らせ、そこから排出される原稿を反転経路で反転させ、再度、前記読み取り領域に搬送して原稿の他方の面の画像を読み取るようにしたものがある。
【０００３】
また、読み取り領域の搬送路を挟む一方の側に、原稿の一方の面の画像を読み取る第１の読み取り部を配置し、他方の側に原稿の他方の面の画像を読み取る第２の読み取り部を配置することにより、原稿の反転による両面読み取りの他に、第１および第２の読み取り部により原稿の両面の画像を同時的に読み取ることを可能にしたものも知られている（例えば、特許文献１参照）。
【０００４】
この場合、原稿の両面同時読み取りの他に、紙種などよっては、前記反転経路を利用して原稿の一方の面の画像だけの読み取りが行えるようにもなっている。
【０００５】
また、これらとは別に、原稿の厚さに応じて、例えば原稿の厚さが所定値以下の場合には、第１及び第２の読み取り部で原稿の両面を同時的に読み取るのではなく、一方の読み取り部で片面ずつ両面を読み取るモードを実行するようにした技術が知られている（例えば、特許文献２参照）。
【特許文献１】特開２００４−１５２９９号公報
【特許文献２】特開２００３−４３８６６号公報
【発明の開示】
【発明が解決しようとする課題】
【０００６】
ところで、例えばカラー機などの普及に伴って、最近では、読み取り画像の品質に対する要求が高まっている。
【０００７】
しかし、従来の第１および第２の読み取り部により原稿の一方の面の画像と他方の面の画像とを同時に読み取るモードにおいては、写真などの高画質が要求される画像に対して、第１の読み取り部と第２の読み取り部とで微妙な色合いの違いが生じることがあり、ユーザによっては、その違いに満足できない場合がある。
【０００８】
その対策として、例えば、一方の読み取り部のみで原稿の一方の面の画像と他方の面の画像とを読み取れるように手動で読み取り部を切り替えたり、あるいは、原稿を手置きによって両面を切り替えることが考えられるが、これらは、いずれもユーザの手間がかかり、操作性を損ねるものとなる。
【０００９】
また、特許文献２に記載された技術のように、原稿の厚さが所定値以下の場合に、一方の読み取り部で原稿を片面ずつ読み取るようにしたものでは、原稿が薄い場合に、他方の読み取り部の光の影響による裏映りを防止できるかもしれないが、ユーザが高画質や高解像度を望まない場合であっても、第１、第２の読み取り部による原稿両面の同時的読み取りは行われないことから、画質や解像度のレベル要求に対応しにくいという問題がある。
【００１０】
この発明は、原稿画像の読み取り時に要求される解像度または画質に適した読取モードに切り替えて、ユーザの操作の手間をかけることなく、表裏でバランスのとれた良好な画質を得ることができる画像読取装置を提供することを課題としている。
【課題を解決するための手段】
【００１１】
上記課題は、以下の手段によって解決される。
（１）原稿を、給紙トレイから読み取り領域に搬送し、反転経路により反転させた状態で前記読み取り領域に再搬送したのち排出するように搬送可能な原稿搬送手段と、前記読み取り領域に搬送された原稿の一方の面の画像を読み取る第１の読み取り手段と、前記第１の読み取り手段に対して原稿搬送経路を挟んで配置され、読み取り領域に搬送された原稿の他方の面の画像を、前記第１の読み取り手段の読み取りと同時的に読み取ることが可能な第２の読み取り手段と、前記原稿画像の読み取り時に要求される解像度または画質のうちの少なくともいずれかに基づいて、前記原稿搬送手段により搬送される原稿の両面の画像を、前記第１および第２の読み取り手段により読み取る第１の読み取りモードと、原稿の両面の画像を、前記第１または第２の読み取り手段のうちの一方のみを用いかつ前記反転経路で原稿を反転させて読み取る第２の読み取りモードとを切り替えて、原稿の両面の画像の読み取りを行わせる制御手段と、を備えていることを特徴とする画像読取装置。
（２）前記原稿画像の読み取り時に要求される解像度または画質が、高解像度または高画質である場合には、前記制御手段は、第２の読み取りモードに切り替え、低解像度または低画質である場合には、第１の読み取りモードに切り替える前項１に記載の画像読取装置。
（３）前記読取モードの切り替えを有効にするか無効にするかを設定可能である前項１または２に記載の画像読取装置。
（４）原稿の厚さを検出する原稿厚さ検出手段を備え、前記制御手段は、前記検出手段により検出された原稿の厚さと、前記解像度または画質のレベルとに基づいて第１の読み取りモードと第２の読み取りモードとを切り替える前項１に記載の画像読取装置。
【発明の効果】
【００１２】
前項（１）に記載の発明によれば、給紙トレイから繰り出された原稿が読み取り領域に搬入されると、第１の読み取り手段により原稿の一方の面の画像が読み取られ、さらに第２の読み取り手段により原稿の他方の面の画像が読み取られる。つまり、第１および第２の読み取り手段が動作する第１の読み取りモードでは、一回の通紙により、原稿の両面の画像が同時的に読み取られる。
【００１３】
また、第１および第２の読み取り手段の一方のみを使用する第２の読み取りモードでは、原稿の一方の面の画像が読み取られ、ついで原稿を反転させ、その反転された原稿の他方の面の画像が読み取られる。
【００１４】
このような第１の読み取りモードと第２の読み取りモードとが、原稿画像の読み取り時に要求される解像度または画質のうちの少なくともいずれかに基づいて切り替えられるから、例えば、高画質や高解像度の要求であれば、それに応じた読取モードに切り替えることにより、原稿の一方の面の読取画質よりも他方の面の読取画質が劣るといった問題を解消することが可能となる。
【００１５】
前項（２）に記載の発明によれば、原稿画像の読み取り時に要求される解像度または画質が、高解像度または高画質である場合には、第２の読み取りモードに切り替えられるから、一方の読み取り手段のみを使用して原稿両面の画像を読み取ることができ、原稿両面の読み取り画像の色合いなどの差が解消されてユーザを満足させることができる。また、原稿画像の読み取り時に要求される解像度または画質が、低解像度または低画質である場合には、第１の読み取りモードに切り替えられ、第１及び第２読み取り手段を用いて原稿両面の画像が同時的に読み取られるから、生産性の向上に寄与できる。
【００１６】
前項（３）に記載の発明によれば、読取モードの切り替えを有効にするか無効にするかを設定可能となされているから、たとえば、画質や解像度よりも生産性の向上を重視する場合には、切り替えを無効にして、第１の読み取りモードに固定するような操作も可能となる。
【００１７】
前項（４）に記載の発明によれば、原稿の厚さと画質や解像度のレベルとの組み合わせにより、原稿の両面画像の読み取りモードを切り替えることができるから、よりきめ細かな画質要求に対応可能となる。
【発明を実施するための最良の形態】
【００１８】
以下、この発明の一実施形態を図面に基づいて説明する。
【００１９】
図１は、この発明の一実施形態に係る画像読取装置を示す概略構成図である。
【００２０】
図１において、この画像読取装置は、原稿を搬送しながらその画像を読み取るシートスルータイプの自動原稿送り装置（ＡＤＦ）１０１と、スキャナユニット１０３と、制御部３１３（図３）と、操作パネル４００等を備えている。
【００２１】
前記ＡＤＦ１０１は、給紙トレイ２００と、原稿搬送部１００とを有している。
【００２２】
前記給紙トレイ２００は、原稿Ｍを繰り出し可能に載置するものである。
【００２３】
前記原稿搬送部１００は、給紙トレイ２００の原稿Ｍを引き出す給紙ローラ２２０と、原稿Ｍを給紙トレイ２００から分離させる分離ローラ２２１と、第１の読み取り領域Ｓ１の上流に位置する前ローラ２０１と、読み取り領域Ｓ１の下流に位置する読み取り後ローラ２０２とを備える他に、原稿Ｍの片面画像を読み取った後に、該原稿Ｍを一旦、排出させてから、スイッチバック用ローラ１１１でスイッチバックさせることより表裏反転状態で第１の読み取り領域Ｓ１に向かわせる反転経路１１０を備えている。
【００２４】
ＡＤＦ１０１における原稿の給紙及び搬送動作等は、ＣＰＵ３００（図３）によって制御される。
【００２５】
前記搬送経路における所定部位には、第１の読み取り領域Ｓ１に対応して設けられた第１の読み取り部３１８と、第１の読み取り領域Ｓ１のやや下流側に位置する第２の読み取り領域Ｓ２に対応して設けられた第２の読み取り部３２０とが、原稿搬送経路を挟んで配置されている。
【００２６】
前記スキャナユニット１０３は、第１の読み取り部３１８と、第１の画像処理部３１９（図３に示す）とを備えている。
【００２７】
第１の読み取り部３１８は、第１の読み取り領域Ｓ１に達した原稿Ｍに対してプラテンガラス２０５を透過して露光する露光装置２０６と、光源用反射板２０８と、原稿Ｍからの反射光をＣＣＤ２１３に向かわせる複数のミラー２０９と、ミラー２０９とＣＣＤ２１３との間に介在されたレンズ２１１とを備えている。
【００２８】
前記ＣＣＤ２１３からのアナログ信号は、Ａ／Ｄ変換部１２でデジタル信号に変換されてから、第１の画像処理部３１９（図３）により所定の画像処理が施されるようになっている。
【００２９】
前記ＡＤＦ１０１側に設けられた第２の読み取り部３２０は密着型イメージセンサ（CIS：Contact Image Sensor)からなり、前記第１の読み取り部３１８と略同等の機能を有するものであり、図２に示すように、第２の読み取り領域Ｓ２に達した原稿Ｍに光をガラス３２０ｃを透過して照射する一対のＬＥＤ３２０ａ、３２０ｂと、原稿Ｍからの反射光を集光するセルフォックレンズ３２０ｄと、集光された反射光を受光するラインセンサ３２０ｅを備えている。ここでは、ラインセンサ３２０ｅとしてＣＣＤが使用されているが、Ｃ−ＭＯＳセンサなどの他の受光素子を使用可能である。
【００３０】
ＣＣＤからなるラインセンサ３２０ｅからのアナログ信号は、Ａ／Ｄ変換部（図４）２２でデジタル信号に変換されてから、第２の画像処理部３２１（図３）により所定の画像処理が施されるようになっている。
【００３１】
前記制御部３１３は、前記スキャナ用ＣＰＵから構成されており、スキャナユニット１０３を制御する。例えば、原稿画像の読み取り時に要求される画質や解像度のレベルを判断して、搬送部１００による原稿Ｍの搬送や、第１及び第２の読み取り部３１８、３２０による読み取り動作等を制御する。具体的な制御については後述する。
【００３２】
前記操作パネル４００は、ユーザが各種の操作や処理モードの入力を行ったり、装置の状態やメッセージなどを表示するものであり、タッチパネル式の表示部４０１を備えている。また、管理者等はこの操作パネルを介して、後述する第１読み取りモードと第２読み取りモードの切替を有効とする設定や無効とする設定や、原稿読み取り時の画質や解像度のレベルの設定を行うことができるものとなされている。これらの設定は、制御部３１３で受け付けられる。
【００３３】
このような画像読取装置において、給紙トレイ２００に積載された原稿Ｍが給紙ローラ２２０で給紙され、分離ローラ２２１、読み取り前ローラ２０１で第１の読み取り領域Ｓ１に搬送される。
【００３４】
スキャナユニット１０３では、第１の読み取り領域Ｓ１を通過する原稿Ｍの一方の面の画像に対して、第１の読み取り部３１８における露光装置２０６で露光し、原稿Ｍの一方の面からの反射光をプラテンガラス２０５、レンズ２１１を通してＣＣＤ２１３に受光させる。ＣＣＤ２１３からのＲＧＢデータに基づいて、第１の画像処理部３１９で画像データを生成する。
【００３５】
第１の読み取り領域Ｓ１を通過した原稿Ｍが第２の読み取り領域Ｓ２を通過すると、第２の読み取り部３２０により、原稿Ｍの他方の面の画像が読み取られて画像データが生成される。
【００３６】
原稿Ｍは、第２読み取り領域Ｓ２を通過後、読み取り後ローラ２０２によって図１の右方へ搬送され、排出トレイ２２２に排出される。
【００３７】
このように、給紙トレイ２００から第１及び第２の読み取り領域Ｓ１、Ｓ２に搬送され、前記読み取り領域へ再搬送されることなく排出トレイ２２２に排出される第１の搬送経路で、原稿Ｍが搬送される間に、原稿Ｍの一方の面の画像が第１の読み取り部３１８で読み取られるとともに、他方の画像が第２の読み取り部３２０で読み取られる（第１の読み取りモード）。つまり、一回の通紙で原稿Ｍの両面の画像を同時に読み取ることができる。
【００３８】
なお、第１の読み取り領域Ｓ１には、プラテンガラス２０５上に搬送ガイド部材２１５が配置されており、第１の読み取り領域Ｓ１に搬入された原稿Ｍがプラテンガラス２０５と非接触で搬送されるように案内する。
【００３９】
また、読み取り後ローラ２０２は、読み取り前ローラ２０１よりも若干速度を高めて原稿Ｍを引っ張るようにしてあり、原稿Ｍが弛みでプラテンガラス２０５と接触するのを防止している。
【００４０】
ところで、前記プラテンガラス２０５上に紙粉や粘着物などの異物があると、読み取り領域Ｓ１に留まった状態になり、そのまま原稿Ｍの一方の面の読み取りを行うと、その異物の存在が原稿搬送方向へ沿った色筋ノイズとして画像データに現れる。このため、上記のように、原稿Ｍをプラテンガラス２０５に接触させない対策を講じることによって、主に原稿Ｍとプラテンガラス２０５との接触によるプラテンガラス２０５上への異物の侵入を抑制してある。
【００４１】
また、この実施形態では、原稿Ｍの両面画像の読み取り時に、高画質または高解像度が要求される場合には、前記制御部３１３により、第１の読み取り部３１８及び第２の読み取り部３２０のうち、一方の読み取り部のみを使用して、原稿Ｍの両面の画像を読み取る読み取りモード（第２の読み取りモード）に切り替えられる。この場合、原稿Ｍの搬送経路も、原稿を給紙トレイ２００から一方の読み取り部の読み取り領域に搬送し、排出途中でスイッチバック用ローラ１１１によりスイッチバックさせ、かつ反転経路１１０で反転させた状態で前記と同じ読み取り領域に再搬送したのち排出する、第２の原稿搬送経路に切り替えられる。
【００４２】
なお、図示しないが、ＡＤＦ１０１の給紙トレイ２００には、給紙時の傾きを防止するためのガイド部材があり、そのガイド部材に連結された位置検出センサと給紙トレイ２００の搬送方向に設けられた複数の原稿検出部材との組み合わせにより、給紙トレイ２００上の原稿Ｍのサイズを判別可能となっている。
【００４３】
また、原稿搬送経路上には、原稿厚さ検出センサ３０４（図３に示す）が配置されており、給紙された原稿Ｍの厚さを検出するとともに、検出値が所定値以下であるか否かを判断する構成となされている。原稿Ｍの厚さの検出は、例えば透過光や超音波などを利用した各種の方式が採用可能である。
【００４４】
図３は、画像読取装置により原稿画像の読み取り動作を制御するための制御系を示すブロック図である。
【００４５】
図３において、前記ＡＤＦ１０１を制御するＣＰＵ３００は、スキャナユニット１０３を制御するスキャナ用ＣＰＵ３１３と通信可能に接続されており、この通信を通じて、原稿Ｍのサイズ情報や動作モード、さらには原稿Ｍを読み取るためのタイミング情報など各種の制御情報をやりとりしている。
【００４６】
前記ＡＤＦ１０１のＣＰＵ３００には、駆動パルスモータ２３１，２３２，２３３をそれぞれ駆動する駆動ＩＣ３０１，３０２，３０３が接続されている。
【００４７】
また、このＣＰＵ３００は、駆動パルスモータ２３１，２３２，２３３に対してφ０〜φ３の励磁信号を入力させることにより駆動制御し、倍率やモードに応じて、原稿搬送速度などを可変し、原稿搬送を制御するようになっている。
【００４８】
なお、駆動パルスモータ２３１，２３２，２３３は、それぞれＡＤＦ１０１における給紙部／読み取り部／排出部などを個別に駆動するようになっており、原稿Ｍの搬送タイミングに応じて、速度や回転方向を切り替えることにより、原稿Ｍの通紙を可能にしている。
【００４９】
また、ＣＰＵ３００のアナログポートには、原稿Ｍの厚さ検出部として、原稿Ｍの過光を検出して厚さを判別するセンサ３０４が接続されており、予め決められた基準値とセンサ出力電圧を比較することにより、原稿Ｍの厚さが所定値以下か否かを判別するようになっている。
【００５０】
第１の読み取り部３１８は、スキャナ用ＣＰＵ３１３によって制御されている。このＣＰＵ３１３は、前記露光装置２０６、反射板２０８およびミラー２０９を備えた読取スライダーユニット２１０を読み取り位置Ｓ１に移動させるように駆動モータ３１５を駆動制御している。
【００５１】
第１の読み取り部３１８におけるＣＣＤ２１３からの画像データは、第１の画像処理部３１９を介してスキャナ用ＣＰＵ３１３に入力され、図示しない画像データ出力部に送られる。
【００５２】
第２の読み取り部３２０は、ＡＤＦ１０１に搭載されている。第２の読み取り部３２０におけるラインセンサ３２０ｅからの画像データは、第２の画像処理部３２１を介してスキャナ用ＣＰＵ３１３に入力されている。
【００５３】
第１画像読取部３１８と第２画像読み取り部３２０との動作（読み取りモード）の切替については、ＡＤＦ用ＣＰＵ３００が、スキャナ用ＣＰＵ３１３と通信することにより、第１の読み取り部３１８と第２の読み取り部３２０のどちらを使用したモードかを認識して行うようになっている。
【００５４】
図４は、前記第１および第２の画像処理部３１９，３２１の電気的構成を示すブロック図である。
【００５５】
図４において、第１の読み取り部３１８におけるＣＣＤ２１３で読み取られた画像信号は、Ａ／Ｄ変換部１２に入力されてデジタル信号に変換される。
【００５６】
ついで、このデジタル画像信号は、シェーディング補正部１３、色を明度と色差方式に変換するための明度・色分離部１４で処理される。さらに、画像鮮明化のためのシャープネス調整部１５、ＨＶＣ調整部１６、濃度補正部１８で調整処理される。その後、画像の色空間をＬ*ａ*ｂ*色空間に変換する色空間変換部１７、データを圧縮して保管するための圧縮伸張部１９で処理される。圧縮伸張部１９を経て、画像データは、データ保管用のメモリ部２０に一時保管される。
【００５７】
前記シャープネス調整部１５、ＨＶＣ調整部１６に対しては、画像濃度などの調整のための画像パラメータの設定により、読取画像の最適化が図られる。
【００５８】
また、第２の画像処理部３２１についても、第１の画像処理部３１９と同様の画像処理構成となっている。つまり、第２の読み取り部３２０におけるラインセンサであるＣＣＤ３２０ｅで読み取られた画像信号は、Ａ／Ｄ変換部２２に入力されてデジタル信号に変換される。
【００５９】
ついで、このデジタル画像信号は、シェーディング補正部２３、明度・色分離部２４で処理される。さらに、画像鮮明化のためのシャープネス調整部２５、ＨＶＣ調整部２６、濃度補正部１８で調整処理される。その後、画像の色空間をＬ*ａ*ｂ*色空間に変換する色空間変換部２７、データを圧縮して保管するための圧縮伸張部２９で処理される。画像データは、圧縮伸張部２９を経て、データ保管用のメモリ部２０に一時保管される。
【００６０】
なお、前記第１の画像処理部３１９では、シャープネス調整部１５、ＨＶＣ調整部１６および濃度補正部１８に対して、画像調整パラメータ設定部４１により最適な画像パラメータの設定が行われ、また、第２の画像処理部３２１では、シャープネス調整部２５、ＨＶＣ調整部２６および濃度補正部２８に対して、画像調整パラメータ設定部４２により最適な画像パラメータの設定が行われる。
【００６１】
図５は、原稿画像の各読取モードに対応した原稿搬送経路の説明図である。
【００６２】
図５（Ａ）は、前記第１の読み取りモード、換言すれば第１および第２の読み取り部３１８，３２０により原稿Ｍの表裏両面の各画像を同時に読み取る同時読み取りモードの場合を示すものであり、原稿Ｍは前記第１の原稿搬送経路に沿って搬送される。
【００６３】
即ち、給紙トレイ２００から繰り出した原稿Ｍを搬送部１００により第１の読み取り領域Ｓ１に対して通紙する。原稿Ｍは、実線ａで示す経路で搬送され、第１の読み取り領域Ｓ１に達すると、第１の読み取り部３１８により原稿Ｍの表面画像が読み取られる。他方、当該原稿Ｍが第２の読み取り領域Ｓ２に達すると、第２の読み取り部３２０により、原稿Ｍの裏面画像が読み取られ、この後、排紙トレイ２２２上に排出される。つまり、１回の通紙により、原稿Ｍの表裏両面の画像を同時に読み取ることができる。
【００６４】
なお、第１読み取り部３１８により原稿Ｍの一方の面（例えば表面）の画像の読み取りを行う片面読み取りモードの場合も、上記と同様の経路で搬送される。
【００６５】
図５（Ｂ）は、第２の読み取りモード、換言すれば、第１の読み取り部３１８と第２の読み取り部３２０のいずれか一方を使用して、原稿Ｍの表面を読み取ったのち、原稿を反転させた状態で、表面と同じ読み取り部を使用して裏面を読み取る反転読み取りモードの場合を示すものであり、原稿Ｍは前記第２の原稿搬送経路に沿って搬送される。
【００６６】
即ち、第１の読み取り部３１８で両面読み取りを行う場合、給紙トレイ２００から繰り出した原稿Ｍを実線ａに示すように、第１の読み取り領域Ｓ１に搬送し、原稿Ｍが第１の読み取り領域Ｓ１に達すると、第１の読み取り部３１８で原稿Ｍの表面画像が読み取られる。その後、原稿Ｍをスイッチバック用ローラ１１１により実線ｂで示す方向へ搬送して反転経路１１０で反転させてから、再度、第１の読み取り領域Ｓ１を通過させれば、第１の読み取り部３１８で原稿Ｍの裏面画像が読み取られる。
【００６７】
原稿Ｍの表裏両面の画像の読み取りが終われば、該原稿を実線ｃで示す方向へ搬送することにより、原稿Ｍが再度反転され、頁順が揃った状態で排出トレイ２２２に排出される。
【００６８】
一方、第２の読み取り部３２０で両面読み取りを行う場合は、原稿Ｍは同様の搬送経路で搬送されるが、原稿Ｍの他方の面つまり裏面画像の読み取りを行い、続いて、表面画像の読み取りが行われる。最後に、図示されない画像制御部で画像上の頁順入れ替えが行われる。
【００６９】
次に、図１〜図４に示した画像読取装置によって実行される第１及び第２の読み取りモードの切替制御処理を、図６のフローチャートに基づいて説明する。なお、この実施形態では、原稿の表面（第１面）は第１の読み取り部３１８で読み取るものとし、原稿の裏面（第２面）を第１の読み取りモードでは第２の読み取り部３１８で読み取り、第２の読み取りモードでは、原稿を表裏反転させて第１の読み取り部３１８で読み取るものとする。勿論、第２の読み取りモードにおいて、第２の読み取り部３２０のみを使用して原稿の両面を読み取る構成としても良い。
【００７０】
図６において、ステップＳ１では、原稿Ｍの両面読み取りモードか否かを判断し、原稿Ｍの両面読み取りモードでなければ（ステップＳ１でＮＯ）、そのまま終了する。原稿Ｍの両面読み取りモードであれば（ステップＳ１でＹＥＳ）、ステップＳ２では、第１／第２の読み取り部３１８，３２０の自動切り替え制御が有効なものとして設定されているか否かを判断する。自動切り替え制御が無効であれば（ステップＳ２でＮＯ）、ステップＳ６に進む。
【００７１】
これらは、具体的には、画質よりも生産性を重視させたいユーザが、操作パネル４００からの入力によるユーザ設定モード等により、読み取りモードの自動切り替えを「無効」に設定している場合などに相当する。
【００７２】
自動切り替え制御が有効であれば（ステップＳ２でＹＥＳ）、ステップＳ３では、高画質モードもしくは高解像度モードであるか否かを判断する。
【００７３】
ここで、高画質モードや高解像度モードの判定基準は、予め高画質モードや高解像度モードが設定されていても良いし、操作パネル４００からユーザが高画質モードや高解像度モードを設定するようにしても良い。あるいはユーザによる処理モードの入力に基づいて判断しても良い。例えば、ユーザが写真モードを指定してコピーを行う場合や、高解像度モードを指定してスキャンを行う場合である。
【００７４】
高画質モードもしくは高解像度モードであれば（ステップＳ３でＹＥＳ）、ステップＳ４では、第１および第２読み取り部３１８，３２０を使用する同時読取モード（第１の読み取りモード）を解除し、第１の読み取り部３１８により原稿の裏面を読み取る反転読取モード（第２の読み取りモード）に切り替えたのち、本処理を終了する。これにより、原稿Ｍの表裏両面の画像が第１の読み取り部３１８のみによって読み取られるから、表裏で微妙な色合いの差が生じる不都合が解消される。
【００７５】
高画質モードもしくは高解像度モードでなければ（ステップＳ３でＮＯ）、ステップＳ５では、同時読取モードに切替設定し、第１および第２の読み取り部３１８，３２０により原稿Ｍの両面画像に対して同時的に読み取りを行う。これにより、生産効率よく、原稿Ｍの両面を読み取ることができる。
【００７６】
一方、ステップＳ２で、前記自動切り替え制御が無効と判断された場合（ステップＳ２でＮＯ）、ステップＳ６では、原稿Ｍの裏面の読み取りを第２の読み取り部を用いて行うか否か（つまり、反転読み取りモードか同時読み取りモードか）を判断する。
【００７７】
この判断は、操作パネル４００からの入力等により、ユーザが生産性を重視した同時読取モードに固定しているか、あるいは画質を重視して反転読取モードに固定しているか、などに基づいて行われる。
【００７８】
同時読取モードに固定されていれば（ステップＳ６でＹＥＳ）、ステップＳ７では、第２の読み取り部３２０も使用する同時読取モードに切り替える。反転読取モードであれば（ステップＳ６でＮＯ）、ステップＳ８では、原稿Ｍの裏面の画像読み取りを、原稿を反転させて第１の読み取り装置３１８で行う反転読取モードに切り替える。
【００７９】
次に、図１〜図４に示した画像読取装置によって実行される第１及び第２の読み取りモードの切替制御処理の他の例を、図７のフローチャートを参照して説明する。この例でも、原稿の表面（第１面）は第１の読み取り部３１８で読み取るものとして説明する。
【００８０】
図７において、ステップＳ１０では、原稿Ｍの両面読み取りモードか否かを判断し、原稿Ｍの両面読み取りモードでなければ（ステップＳ１０でＮＯ）、そのまま終了する。原稿Ｍの両面読み取りモードであれば（ステップＳ１０でＹＥＳ）、ステップＳ１１では、第１／第２の読み取り部３１８，３２０の自動切り替え制御が有効か否かを判断する。
【００８１】
自動切り替え制御が無効であれば（ステップＳ１１でＮＯ）、ステップＳ１７に進む。
【００８２】
この場合も、具体的には、画質よりも生産性を重視させたいユーザが、操作パネル４００からの入力によるユーザ設定モード等により、読み取りモードの自動切り替えを「無効」に設定している場合などに相当する。
【００８３】
自動切り替え制御が有効であれば（ステップＳ１１でＹＥＳ）、ステップＳ１２では、原稿Ｍの紙厚が所定値以下（紙厚≦α）であるか否かを、原稿厚さ検出センサ３０４の信号に基づいて判断し、紙厚が所定値以下（紙厚≦α）であれば（ステップＳ１２でＹＥＳ）、ステップＳ１３では、画質／解像度モードが「レベル２」以上（画質／解像度≧「レベル２」）であるか否かを判断する。
【００８４】
なお、画質モードのレベルは、画質や解像度などから予め基準を決定してあり、ここでは、例えば「レベル１」が最も画質要求が高く、「レベル２」、「レベル３」・・・となるに従って画質要求レベルが下がるものとして設定されている。
【００８５】
画質要求は、操作パネル４００を介してユーザが複数の基準値から選択して入力したものである。
【００８６】
画質／解像度モードが「レベル２」以上の高いレベルであれば（ステップＳ１３でＹＥＳ）、ステップＳ１４では、同時読み取りモードを解除し、原稿Ｍを反転させてから第１の読み取り部３１８で読み取らせる反転読取モードに切り替える。
【００８７】
画質／解像度モードが「レベル２」未満（画質／解像度＜「レベル２」）の低いレベルであれば（ステップＳ１３でＮＯ）、ステップＳ１６では、前記第２の読み取り部３２０を使用する同時読取モードに切り替えて、原稿Ｍの両面を同時的に読み取る。
【００８８】
紙厚が所定値を超えている（紙厚＞α）なら（ステップＳ１２でＮＯ）、ステップＳ１５で、画質／解像度モードが「レベル１」以上（画質／解像度≧「レベル１」）であるか否かを判断する。
【００８９】
画質／解像度モードが「レベル１」以上（画質／解像度≧「レベル１」）であれば（ステップＳ１５でＹＥＳ）、ステップＳ１４に進み、反転モードに切り替える。
【００９０】
画質／解像度モードが「レベル１」未満（画質／解像度＜「レベル１」）の低いレベルであれば（ステップＳ１３でＮＯ）、ステップＳ１６では、前述した同時読取モードに借り換える。
【００９１】
このように原稿Ｍの紙厚に応じて読み取りモードを切り替えるのは、原稿Ｍの厚さによる第１の読み取り部３１８からの影響光などを考慮している。具体的には、原稿Ｍが薄紙のときには、より低い画質要求でも、反転経路１１０を利用した反転読取モードを選択することにより、画質を向上するようにしてある。
【００９２】
前記ステップＳ１１において、前記自動切り替え制御が無効と判断された場合（ステップＳ１１でＮＯ）、ステップＳ１７では、原稿Ｍの裏面の読み取りを第２の読み取り部を用いて行うか否か（つまり、反転読み取りモードか同時読み取りモードか）を判断する。
【００９３】
この判断は、操作パネル４００からの入力等により、ユーザが生産性を重視した同時読取モードに固定しているか、あるいは画質を重視して反転読取モードに固定しているか、などに基づいて行われる。
【００９４】
同時読取モードに固定されていれば（ステップＳ１７でＹＥＳ）、ステップＳ１８では、第２の読み取り部３２０も使用する同時読取モードに切り替える。反転読取モードであれば（ステップＳ１７でＮＯ）、ステップＳ１９では、原稿Ｍの裏面の画像読み取りを、原稿を反転させて第１の読み取り装置３１８で行う反転読取モードに切り替える。
【００９５】
このように、図７に示した実施形態では、原稿Ｍの検出厚さと画質／解像度レベルの組合せに基づいて、読み取りモードを切り替えるから、よりきめ細かな画質要求に容易に対応可能となる。
【図面の簡単な説明】
【００９６】
【図１】この発明の一実施形態に係る画像読取装置を示す概略構成図である。
【図２】同じく画像読取装置における第２の読み取り部の一例を示す概略構成図である。
【図３】画像読取装置による原稿画像読み取り動作を制御するための制御系を示すブロック図である。
【図４】第１および第２の読み取り部にそれぞれ対応した画像処理部の電気的構成を示すブロック図である。
【図５】原稿画像の各読み取りモードにおける原稿搬送経路の説明図である。
【図６】原稿の裏面（第２面）の画像を読み取る場合の読み取りモードの切替制御処理を示すフローチャートである。
【図７】原稿の裏面（第２面）の画像を読み取る場合の読み取りモードの切替制御処理の別の例を示すフローチャートである。
【符号の説明】
【００９７】
１００                搬送部
１１０                反転経路
１０１                自動原稿搬送装置
２００                給紙トレイ
３０４                原稿厚さ検出部
３１３                制御部
３１８                第１の読み取り部
３２０                第２の読み取り部
Ｍ                    原稿
Ｓ１                  第１の読み取り領域
Ｓ２                  第２の読み取り領域
【図１】
2008148265.tif 000003
【図２】
2008148265.tif 000004
【図３】
2008148265.tif 000005
【図４】
2008148265.tif 000006
【図５】
2008148265.tif 000007
【図６】
2008148265.tif 000008
【図７】
2008148265.tif 000009